(57)【特許請求の範囲】
【請求項１】
容器本体と、この容器本体の後端部にヒンジ連結される蓋体と、上記蓋体の下面に形成された凹部内に、環状の鏡枠を介して着脱自在に保持される鏡とを備えたコンパクト容器であって、上記蓋体凹部の内周面に、周方向に所定間隔で、複数の係合用突起が設けられ、上記鏡枠が、外周面に、上記蓋体凹部に形成された係合用突起と係合しうる複数の被係合片を有し、周壁下部に、内向きに張り出したフランジ部を有し、上記鏡枠のフランジ部上面と蓋体凹部底面との間に鏡を挟んだ状態で、上記鏡枠の被係合片と上記蓋体凹部の係合用突起との係合がなされ、上記蓋体凹部の内周面の、上記各係合用突起に対応する下側部分が、下方に向かって開くテーパ部に形成され、上記鏡枠の周壁下部に、外向きに張り出したフランジ部が形成されていることを特徴とするコンパクト容器。
【発明の詳細な説明】
【０００１】
【発明の属する技術分野】
本発明は、容器の蓋体から鏡を取り外すことのできるコンパクト容器に関するものである。
【０００２】
【従来の技術】
ファンデーション等の化粧料を収容して携帯するコンパクト容器としては、従来から、図４に示すようなタイプのものが汎用されている。このコンパクト容器は、上面に化粧皿（図示せず）を収容する凹部３０ａが形成された合成樹脂製の容器本体３０の後端部に、同じく容器樹脂製の蓋体３１がヒンジ連結されて構成されている。そして、上記蓋体３１の下面には、化粧する際に顔を映すための鏡３２が取り付けられている。なお、蓋体３１の前端下面には、係合用突出片３３が下向きに形成されており、この突出片３３が、容器本体３０の前端部の係合部３４と係合することにより、蓋体３１を閉じることができるようになっている。また、容器本体３０の前端部には切欠部３６が設けられており、この部分に、前後にわずかに回動する操作片３５が取り付けられている。この操作片３５を内側に押し込むことにより、上記突出片３３と係合部３４との係合が外れ、蓋体３１が開くようになっている。
【０００３】
このようなコンパクト容器では、通常、鏡３２は、上記の例のように蓋体３１の下面にそのまま、あるいは下面に浅い凹部を形成してその凹部内に、接着剤等で一体的に固定されている。これは、コンパクト容器を携帯する際に、振動や落下等の外力が加わっても、鏡３２が外れて破損することがないよう考慮したものである。
【０００４】
【発明が解決しようとする課題】
しかしながら、近年、年々増加する廃棄物の処理が社会問題化しており、ごみ排出量の抑制と資源リサイクル促進の必要性が高まっている。このため、ごみの種類によって、分別収集を義務づける自治体も増えている。また、製造業者にも、容器や包装物等のリサイクルが義務づけられる傾向になってきている。このような社会状況にあって、上記従来のコンパクト容器は、鏡３２が蓋体３１に接着剤等で一体的に固定されているため、使用しなくなったコンパクト容器を廃棄する際、ガラス廃棄物である鏡３２と、合成樹脂廃棄物である容器本体３０および蓋体３１とを分離することができず、ごみの分別収集に供することができないという問題がある。また、鏡３２が蓋体３１に接着されたままで廃棄されると、その鏡３２が割れて破片が散乱し、危険が生じるという問題もある。
【０００５】
本発明は、このような事情に鑑みなされたもので、コンパクト容器から鏡のみを取り外すことができ、ガラス廃棄物と合成樹脂廃棄物とに分けて廃棄することのできるコンパクト容器の提供をその目的とする。
【０００６】
【課題を解決するための手段】
上記の目的を達成するため、本発明のコンパクト容器は、容器本体と、この容器本体の後端部にヒンジ連結される蓋体と、上記蓋体の下面に形成された凹部内に、環状の鏡枠を介して着脱自在に保持される鏡とを備えたコンパクト容器であって、上記蓋体凹部の内周面に、周方向に所定間隔で、複数の係合用突起が設けられ、上記鏡枠が、外周面に、上記蓋体凹部に形成された係合用突起と係合しうる複数の被係合片を有し、周壁下部に、内向きに張り出したフランジ部を有し、上記鏡枠のフランジ部上面と蓋体凹部底面との間に鏡を挟んだ状態で、上記鏡枠の被係合片と上記蓋体凹部の係合用突起との係合がなされ、上記蓋体凹部の内周面の、上記各係合用突起に対応する下側部分が、下方に向かって開くテーパ部に形成され、上記鏡枠の周壁下部に、外向きに張り出したフランジ部が形成されているという構成をとる。
【０００７】
【発明の実施の形態】
つぎに、本発明の実施の形態について説明する。
【０００８】
図１は、本発明の一実施の形態を示したものである。このコンパクト容器は、鏡３２の取り付け構造に特徴を有するもので、それ以外の構造は、図４に示す従来のコンパクト容器と同一であり、同一部分に同一符号を付している。
【０００９】
このコンパクト容器の鏡３２は、環状の鏡枠１を介して、蓋体３１の下面に形成された凹部２内に、着脱自在に保持されるようになっている。より詳しく説明すると、上記蓋体３１の凹部２は、平面視正方形状で、その内周面のうち、左右の向かい合う二面に、図２に示すように、一面に２個ずつ、周方向に一定の長さだけ延びる係合用突起３が設けられている（片方の面は見えない）。そして、各係合用突起３が形成された部分と蓋体３１の下面３１ａとの間の部分は、図示のように切り欠かれてテーパ部４が形成されている。
【００１０】
一方、鏡枠１は、上記蓋体３１の凹部２内に嵌入できるよう、同じく平面視正方形状の環状に形成されており、その外周面のうち、上記蓋体３１の係合用突起３と対峙する４個所に、上記係合用突起３と係合しうる被係合片５がそれぞれ設けられている。また、上記鏡枠１の周壁下部には、内側に張り出した内フランジ部６と、外側に張り出した外フランジ部７とが設けられている。なお、図２において、蓋体３１の下面周縁部に形成された立ち上がり部は省略している。
【００１１】
鏡３２は、上記鏡枠１を介して、つぎのようにして蓋体３１の凹部２内に取り付けられる。すなわち、まず鏡３２を鏡枠１の内側に保持させる。このとき、鏡３２の下縁部は、鏡枠１の内フランジ部６の上面に支受される。この状態で、鏡枠１を、矢印のように、蓋体３１の凹部２内に嵌入し、被係合片５が、凹部２の係合用突起３を乗り越えて係合するようにする。この状態を、図１のＡ−Ａ′断面図である図３に示す。このようにして、鏡３２を、鏡枠１の内フランジ部６上面と、蓋体３１の凹部２底面との間で挟持することができる。なお、上記鏡枠１の外フランジ部７とテーパ部４によって形成される隙間に爪や硬貨等を差し込み、外フランジ部７を手前に引き出すことにより、簡単に鏡枠１および鏡３２を、凹部２から取り外すことができる。
【００１２】
このように、このコンパクト容器は、鏡３２を、従来のように接着剤等を用いて蓋体３１に貼着して一体的に固定するのではなく、鏡枠１と蓋体３１との簡単な係合によって保持しているにすぎないため、容易に外すことができる。しかも、容易に外すことができるにもかかわらず、鏡３２が鏡枠１を介して蓋体３１の凹部２内に保持された状態では、鏡枠１のみを引き出す強い力がかからない限り、鏡枠１は外れないため、コンパクト容器携帯時に鏡３２が脱落するようなことはない。
【００１３】
したがって、このコンパクト容器を廃棄する場合には、蓋体３１を開き、すでに述べたように、鏡枠１と蓋体３１の凹部２との間の隙間に爪や硬貨等を差し込み、鏡枠１の外フランジ部７を手前に引き出して鏡枠１および鏡３２を凹部２から取り外すようにする。これにより、合成樹脂製の容器本体３０，蓋体３１と、鏡枠１と、ガラス製の鏡とに分けることができるのであり、それぞれを、ごみの分別収集に供することができる。そして、鏡３２は、他のガラス廃棄物とともに慎重に回収されるため、破損等の危険を招くことがない。
【００１４】
なお、上記鏡枠１（被係合片５も含む）が、容器本体３０および蓋体３１と同一の合成樹脂で形成されている場合には、その廃棄時に、再び蓋体３１の凹部２内に鏡枠１を嵌入し係合した状態にしておくと、両者をばらばらにしておくよりも空間的無駄が生じず、好ましい。もちろん、鏡枠１の材質が容器本体３０等と異なる場合であって分別収集されるものである場合には、それぞれを分けて廃棄する。
【００１５】
また、蓋体３１の凹部２に設けられる係合用突起３の数および配置は、上記の例に限らず、適宜に設定される。ただし、鏡枠１をバランスよく保持するために、複数の係合用突起３を均等に配置することが好適である。鏡枠１に設けられる被係合片５についても同様である。そして、上記係合用突起３の大きさは、蓋体３１および鏡３２の大きさや設ける個数等にもよるが、通常、幅Ｗ1 が０．２〜１．０ｍｍ、高さＴ1 が０．２〜０．８ｍｍ、長さＬ1 が５．０〜１０ｍｍに設定することが好適である。また、上記被係合片５の大きさは、通常、幅Ｗ2 が０．２〜１．０ｍｍ、高さＴ2 が０．２〜０．８ｍｍ、長さＬ2 が５．０〜１０ｍｍとなるよう設定することが好適である。
【００１６】
さらに、鏡枠１に設けられる内フランジ部６の張り出し部分の幅Ｗ3 （図３参照）は、鏡３２の大きさ等にもよるが、通常、０．５〜２ｍｍに設定することが好適である。そして、上記内フランジ部６の厚みは、０．５〜１．５ｍｍに設定することが好適である。
【００１７】
また、鏡枠１に設けられる外フランジ部７および蓋体３１のテーパ部４は、凹部２内に嵌入された鏡枠１を取り外しやすいよう配慮したものである。
【００１８】
なお、本発明のコンパクト容器は、図１のタイプのものに限らず、容器本体３０と蓋体３１とがヒンジ連結により開閉するものであれば、どのような構成のものであっても差し支えはない。
【００１９】
【発明の効果】
以上のように、本発明のコンパクト容器は、鏡が、鏡枠と蓋体との簡単な係合によって保持されているにすぎないため、容易に外すことができる。しかも、容易に外すことができるにもかかわらず、鏡が鏡枠を介して蓋体の凹部内に保持された状態では、鏡枠のみを引き出す強い力がかからない限り、鏡枠は外れないため、コンパクト容器携帯時に衝撃を受けても鏡が脱落するようなことはない。したがって、このコンパクト容器は、使用時には一体であっても、廃棄時には、簡単に、ガラス製の鏡と合成樹脂製の他の部分とに分けることができ、それぞれを、ごみの分別収集に供することができるという利点を有する。そして、分別された鏡は、他のガラス廃棄物とともに慎重に回収されるため、破損等の危険を招くことがない。
【図面の簡単な説明】
【図１】  本発明の一実施例を示す斜視図である。
【図２】  上記実施例の要部の分解斜視図である。
【図３】  図１のＡ−Ａ′断面図である。
【図４】  従来のコンパクト容器の一例を示す斜視図である。
【符号の説明】
１  鏡枠
２  凹部
３  係合用突起
５  被係合片
６  内フランジ部
３０  容器本体
３１  蓋体
３２  鏡
【図１】
0003838701.tif 000002
【図２】
0003838701.tif 000003
【図３】
0003838701.tif 000004
【図４】
0003838701.tif 000005